(57)【要約】【課題】収納装置を小型化すると共に、ホースの収納容易性を向上させること。【解決手段】ホース構造体１０は、長尺状のホース１１と、ホース１１の基端側から先端側に向かって延び、先端部においてホース１１に接続された線状部１２と、ホース１１の延伸方向に沿って所定間隔で設けられ、線状部１２が通過する貫通孔１３ｃを区画するハトメ１３ｂと、を備えている。【選択図】図３
2017114590.tif 000002
【特許請求の範囲】
【請求項１】
長尺状の折り畳み可能なホースと、
前記ホースの基端側から先端側に向かって延び、前記先端側において前記ホースに接続された線状部と、
前記ホースの延伸方向に沿って所定間隔で設けられ、前記線状部が通過する第１通過領域を区画する第１領域区画部と、を備える、ホース構造体。
【請求項２】
前記第１領域区画部は、前記ホースの前記延伸方向に沿って一定間隔で設けられている、請求項１記載のホース構造体。
【請求項３】
前記ホースに接続されると共に、隣り合う前記第１領域区画部間において、前記線状部が通過する第２通過領域を区画する第２領域区画部を更に備える、請求項１又は２記載のホース構造体。
【請求項４】
請求項１〜３のいずれか一項に記載されたホース構造体と、
前記ホース構造体を収納する収納装置と、を備え、
前記収納装置は、前記線状部を巻き取る巻き取り部を有する、ホース収納ユニット。
【請求項５】
前記収納装置は、前記線状部が巻き取られることにより折り畳まれた前記ホースを固定する固定部を更に有する、請求項４記載のホース収納ユニット。
【請求項６】
前記巻き取り部は、台座上に設けられたリール部材であり、
前記所定間隔は、前記台座の長手方向の長さ以下である、請求項４又は５記載のホース収納ユニット。
【発明の詳細な説明】
【技術分野】
【０００１】
本開示は、折り畳み可能なホース構造体、及び該ホース構造体を含むホース収納ユニットに関する。
【背景技術】
【０００２】
ホースを収納する収納装置として、ドラムによりホースを巻き取るホースリールが知られている。このようなホースリールは、ドラム、ドラムを支持するフレーム、及び巻き取り操作を行うハンドル等が必要となることから、大型化し易い。
【０００３】
別の収納装置として、消防用ホースのような折り畳み可能なホースを折り畳んで収納する収納装置がある（例えば特許文献１参照）。当該収納装置では、ホースが折り畳まれるため、ホースを巻き取るためのドラム等が不要になる。また、当該収納装置は、折り畳まれたホースを直線状に迅速に展開することができる。
【先行技術文献】
【特許文献】
【０００４】
【特許文献１】特表２０１４−５０７３５６号公報
【発明の概要】
【発明が解決しようとする課題】
【０００５】
しかしながら、上記特許文献１の収納装置では、ホースを収納する際の折り畳みが困難であり、ホースを容易に収納することができない。
【０００６】
そこで、本開示は、収納装置を小型化すると共に、ホースの収納容易性を向上させることを目的とする。
【課題を解決するための手段】
【０００７】
本開示の一態様に係るホース構造体は、長尺状の折り畳み可能なホースと、ホースの基端側から先端側に向かって延び、先端側においてホースに接続された線状部と、ホースの延伸方向に沿って所定間隔で設けられ、線状部が通過する第１通過領域を区画する第１領域区画部と、を備える。
【０００８】
本開示の一態様に係るホース構造体では、線状部がホースの先端側に接続されている。このため、線状部が基端側から巻き取られることにより、ホースが、先端側から基端側に向かって引き寄せられる。また、上記ホース構造体では、線状部が、ホースの延伸方向に沿って所定間隔で設けられた第１通過領域を通過するように、基端側から先端側に延びている。このため、線状部が基端側から巻き取られると、折り畳み可能なホースは第１通過領域間を折り目として折り畳まれながら基端側に引き寄せられることとなる。ホースが折り畳まれるため、当該ホースを収納する収納装置では、ホースリールのドラム等の構成が不要となる。このことで、収納装置の小型化を実現することができる。また、線状部を巻き取るという簡易な処理によってホースが折り畳まれ、ホースが収納可能となるので、ホースの収納容易性を向上させることができる。
【０００９】
第１領域区画部は、ホースの延伸方向に沿って一定間隔で設けられていてもよい。これにより、ホースの折り目間の長さが一定となる。このことで、ホースの収納容易性をより向上させることができると共に、収納されたホース構造体の美観を向上させることができる。
【００１０】
ホースに接続されると共に、隣り合う第１領域区画部間において、線状部が通過する第２通過領域を区画する第２領域区画部を更に備えていてもよい。線状部がたわんだ状態において、線状部の巻き取りが開始されホースが折り畳まれると、線状部とホースとが絡まり、ホースのねじれが生じるおそれがある。この点、第１領域区画部間において、ホースに接続された第２領域区画部により、線状部が通過する第２通過領域が区画されることにより、線状部の可動域が限定され、線状部のたわみが生じにくくなる。このことで、線状部とホースとが絡まることが抑制され、線状部巻き取り時におけるホースのねじれを抑制することができる。
【００１１】
本開示の一態様に係るホース収納ユニットは、上記ホース構造体と、ホース構造体を収納する収納装置と、を備え、収納装置は、線状部を巻き取る巻き取り部を有する。本開示の一態様に係るホース収納ユニットでは、巻き取り部により上述した線状部を巻き取ることによって、ホースを折り畳んでいる。これにより、ホースリールのドラム等の構成を用いることなく、小型な構成によって、ホースを収納することができる。また、巻き取り部によって線状部を容易に巻き取ることができるので、ホースの収納容易性を向上させることができる。更に、巻き取り部が線状部を巻き取るので、線状部が絡まることを抑制することができる。
【００１２】
収納装置は、線状部が巻き取られることにより折り畳まれたホースを固定する固定部を更に有していてもよい。これにより、折り畳んだホースを適切に束ねることができ、収納容易性をより向上させることができる。
【００１３】
巻き取り部は、台座上に設けられたリール部材であり、所定間隔は、台座の長手方向の長さ以下であってもよい。台座上のリール部材により線状部が巻き取られるため、折り畳まれたホースは台座に隣接した位置に配置される。所定間隔が台座の長手方向の長さ以下とされるので、ホースの折り目間の長さは、台座の長手方向の長さ以下となる。これにより、ホースが折り畳まれた状態において、リール部材周りに、ホースをコンパクトに収納することができる。
【発明の効果】
【００１４】
本開示に係るホース構造体及びホース収納ユニットによれば、収納装置を小型化すると共に、ホースの収納容易性を向上させることができる。
【図面の簡単な説明】
【００１５】
【図１】図１は、第１実施形態に係るホース収納ユニットの平面図である。
【図２】図２（ａ）は折り畳み途中のホース構造体を示す平面図であり、図２（ｂ）は伸ばされた状態のホース構造体を示す平面図である。
【図３】図３は、線状部とホースとの接続を示す斜視図である。
【図４】図４は、第２領域区画部を示す斜視図である。
【図５】図５は、第１実施形態に係る収納装置を示す斜視図である。
【図６】図６（ａ）は電動リールの側面図であり、図６（ｂ）は図６（ａ）のＶＩ（ｂ）‐ＶＩ（ｂ）線に沿った断面図であり、図６（ｃ）は図６（ａ）のＶＩ（ｃ）‐ＶＩ（ｃ）線に沿った断面図である。
【図７】図７は、第２実施形態に係るホース収納ユニットを示す斜視図である。
【図８】図８（ａ）は巻き取り時の手動リールの断面図であり、図８（ｂ）はスプールフリー時の手動リールの断面図であり、図８（ｃ）はスプールロック時の手動リールの断面図である。
【図９】図９は、第３実施形態に係るホース収納ユニットを説明するための図である。
【図１０】図１０は、変形例に係るホース構造体を説明するための図である。
【発明を実施するための形態】
【００１６】
以下に説明される本開示に係る実施形態は本発明を説明するための例示であるので、本発明は以下の内容に限定されるものではない。以下の説明においては、同一要素又は同一機能を有する要素には同一符号を用いることとし、重複する説明は省略する。
【００１７】
［第１実施形態］
［ホース収納ユニット］
図１に示されるように、ホース収納ユニット１は、ホース構造体１０と、収納装置５０と、を備えている。ホース収納ユニット１は、持ち運び可能に構成されており、屋外又は屋内において、水などの流体を供給元から供給する用途で用いられる。ホース収納ユニット１では、流体の供給が行われていない状態において、ホース構造体１０が収納装置５０に収納されている。以下、ホース構造体１０及び収納装置５０の詳細について、それぞれ説明する。
【００１８】
［ホース構造体］
図２（ａ）（ｂ）及び図３に示されるように、ホース構造体１０は、ホース１１と、線状部１２と、第１領域区画部１３とを備えている。
【００１９】
ホース１１は、流体を送るための長尺状の中空管である。ホース１１は、例えば水などの液体を送る。本実施形態ではホース１１は水を送るものであるとして説明するが、これに限定されず、例えば他の液体を送るものであってもよいし、ガス（気体）を送るものであってもよい。ホース１１は、給水設備（例えば水道の蛇口）に接続されるものであるとして説明するが、これに限定されず、他のホース等を介して間接的に給水設備に接続されるものであってもよい。
【００２０】
ホース１１は、例えば、横断面形状が扁平な、折り畳み可能なフラットホースである。ホース１１のインナー材質（液体と接する部分の材質）としては、例えばポリ塩化ビニル、シリコン、又はポリエチレン等を用いることができる。インナー材質は、コストの観点から、ポリ塩化ビニル又はポリエチレンが好ましく、更に、耐候性の観点からポリ塩化ビニルが好ましい。ホース１１のアウター材質（外気に接する部分の材質）としては、例えばポリ塩化ビニル、綿、又はナイロン等を用いることができる。アウター材質は、線状部１２を通過させるための貫通孔の形成容易性の観点から綿又はナイロンが好ましく、更に、耐摩耗性の観点からナイロンが好ましい。
【００２１】
ホース１１の基端部１１ａは、収納装置５０に設けられたコネクタ５３（詳細は後述）に接続されている。コネクタ５３が給水設備（例えば水道の蛇口）に接続されることによって、基端部１１ａからホース１１に水が送られる。
【００２２】
ホース１１の先端部１１ｂ（図２（ａ）参照）は、コネクタ７１を介して散水ノズル７５に接続されている。散水ノズル７５は、ホース１１を介して給水設備から送られてきた水を、供給先にまく。ホース１１が折り畳まれた状態（図１及び図２（ａ）参照）において、散水ノズル７５を持って引っ張ることにより、ホース１１を延ばす（図２（ｂ）参照）ことができる。
【００２３】
ホース１１の基端部１１ａから先端部１１ｂまでの長さは、屋外における散水の利便性の観点から、５ｍ以上が好ましく、７ｍ以上がより好ましく、１０ｍ以上が更に好ましい。ホース１１の基端部１１ａから先端部１１ｂまでの長さは、収納装置５０の小型化及び取り扱い性の観点から、７０ｍ以下が好ましく、５０ｍ以下がより好ましく、３０ｍ以下が更に好ましい。
【００２４】
ホース１１を完全に折り畳んだ状態（図１参照）における、ホース１１の長さは、収納装置５０の操作性の観点から、５０ｍｍ以上が好ましく、８０ｍｍ以上がより好ましく、１００ｍｍ以上が更に好ましい。ホース１１を完全に折り畳んだ状態におけるホース１１の長さは、収納装置５０の小型化及び取り扱い性の観点から、３５０ｍｍ以下が好ましく、３００ｍｍ以下がより好ましく、２５０ｍｍ以下が更に好ましい。折り畳んだ状態におけるホース１１の長さとは、折り畳んだ状態におけるホース１１の重なり方向の長さをいう。
【００２５】
第１領域区画部１３は、ホース１１の延伸方向に沿って所定間隔で設けられ（図３参照）、線状部１２が通過する領域（第１通過領域）を区画する。すなわち、第１領域区画部１３は、線状部１２が、ホース１１に沿った位置を通過するように、線状部１２が通過する位置を画定する。第１領域区画部１３は、例えば、ホース１１の延伸方向に沿って一定間隔で設けられている。
【００２６】
ホース１１の延伸方向における、第１領域区画部１３間の長さは、収納装置５０の操作性の観点から、１００ｍｍ以上が好ましく、１２０ｍｍ以上がより好ましく、１５０ｍｍ以上が更に好ましい。また、第１領域区画部１３間の長さは、収納装置５０の小型化及び取り扱い性の観点から、３５０ｍｍ以下が好ましく、３００ｍｍ以下がより好ましく、２５０ｍｍ以下が更に好ましい。更に、第１領域区画部１３の数ｎのホース全長Ｌｍに対する比であるｎ／Ｌの値は、ホース収納時のコンパクト性の理由で４０／１０以上、さらに操作性の理由で４５／１０以上がよく、ホースの絡まり抑制の理由で６７／１０以下、さらに生産性向上の理由で５６／１０以下がよい。
【００２７】
第１領域区画部１３は、ホース１１の延伸方向に沿った位置において、線状部１２が通過する領域を区画するものであればよく、例えば、ホース１１自体に設けられたハトメ１３ｂ（図３参照）である。すなわち、第１領域区画部１３は、ホース１１において延伸方向に一定間隔で形成された貫通孔１３ｃ（第１通過領域）を囲むように設けられたハトメ１３ｂである。各ハトメ１３ｂは、ホース１１の、幅方向（延伸方向に交差する方向）における同じ側の端部１１ｃに設けられている。このことにより、後述する線状部１２を巻き取った際に、折り畳まれたホース１１がねじれることを抑制することができる。
【００２８】
線状部１２は、ホース１１の基端部１１ａ側から先端部１１ｂ側に向かって延び、先端部１１ｂ側においてホース１１に接続された線状の部材である。線状部１２とホース１１とは、例えばロックナット部とコネクタ７１とで線状部１２を共締めすることにより接続されている。或いは、線状部１２は、ホース１１の先端部１１ｂ側のハトメ１３ｂに接続されている。線状部１２は、例えば、コネクタ７１内において、先端部１１ｂと接続されている。線状部１２は、基端部１１ａ側において収納装置５０のスプール５４（図２及び図６（ｂ）参照）に巻きつけられている。
【００２９】
線状部１２は、スプール５４から開口６０（図３及び図６（ｂ）参照）を通過して、各貫通孔１３ｃを経てホース１１の先端部１１ｂにまで延びている。すなわち、線状部１２は、両端がスプール５４及び先端部１１ｂに固定されると共に、両端間において、ホース１１の貫通孔１３ｃを通過するようにホース１１に沿って延びている。
【００３０】
このような線状部１２において、基端部１１ａ側への巻き取り（スプール５４への巻きつけ）が開始されると、線状部１２に固定されているホース１１の先端部１１ｂが基端部１１ａ側に引き寄せられる。そして、線状部１２が巻き取られることに応じて、隣り合うハトメ１３ｂ（及び貫通孔１３ｃ）間の距離が短くなり、巻き取りが進むことにより、隣り合うハトメ１３ｂに係るホース１１の部位が互いに接することとなる（図２ａ参照）。この状態においては、ホース１１の延伸方向における、隣り合うハトメ１３ｂの中間地点を折り目箇所１１ｘとして、ホース１１が折り畳まれる（図２ａ及び図３参照）。
【００３１】
図２（ａ）に示す状態は、線状部１２を完全に巻き取った状態ではなく、巻き取りが進む過程において、隣り合うハトメ１３ｂに係るホース１１の部位が全て接した状態である。この状態から更に線状部１２の巻き取りが進むことにより、先端部１１ｂ側のホース１１が基端部１１ａ側に遷移し、先端部１１ｂ側のホース１１が基端部１１ａ側のホース１１に（又は基端部１１ａ側のホース１１が先端部１１ｂ側のホース１１に）乗り上げた状態（図１参照）となり、ホース１１をよりコンパクトに収納装置５０に収納することができる。
【００３２】
線状部１２の材質としては、例えば綿、ナイロン、フロロカーボン（ポリフッ化ビニリデン）、又はワイヤー（金属）等を用いることができる。線状部１２の材質は、コストの観点から、綿、ナイロン、又はフロロカーボンが好ましく、更に、耐摩耗性の観点からナイロン又はフロロカーボンが好ましい。
【００３３】
図４に示されるように、ホース構造体１０は、第２領域区画部１４（図２及び図３においては図示を省略）を更に備えている。第２領域区画部１４は、ホース１１に接続されると共に、隣り合う第１領域区画部１３間において、線状部１２が通過する領域（第２通過領域）を区画する。すなわち、第２領域区画部１４は、第１領域区画部１３間において線状部１２が通過する位置を画定する。第２領域区画部１４は、隣り合う第１領域区画部１３間に少なくとも１つ設けられており、例えば、隣り合う第１領域区画部１３間に２つ設けられている。第２領域区画部１４は、ホース１１と線状部１２との摩擦抵抗を低減する観点から、全ての、隣り合う第１領域区画部１３間の領域のうち、５０％より少ない、隣り合う第１領域区画部１３間の領域に設けられていてもよい。一方、ホース１１と線状部１２との絡まりを抑制する観点からは、８０％より多い、隣り合う第１領域区画部１３間の領域に設けられていてもよく、全ての、隣り合う第１領域区画部１３間の領域に設けられていてもよい。
【００３４】
第２領域区画部１４は、ホース１１に接続された線状の接続部１４ｂと、接続部１４ｂにおけるホース１１に接続された側の端部と反対側の端部に設けられた、輪状の輪状部１４ｃとを有している。接続部１４ｂは、ホース１１における、折り目箇所１１ｘとハトメ１３ｂが設けられた位置との間の領域に接続されている。接続部１４ｂとホース１１とは、例えばホース１１の接続部１４ｂ側に設けられたハトメ１３ｂにおいて接続されている。或いは、接続部１４ｂは、ホース１１の外布に縫いつけられることによりホース１１に接続されている。輪状部１４ｃは、線状部１２が通過する領域１４ｄ（第２通過領域）を区画する輪状の部材である。第２領域区画部１４は線状部１２のたわみを防止する用途で設けられるものであるため、接続部１４ｂの長さが過度に長くなること、及び、輪状部１４ｃの径（領域１４ｄの大きさ）が過度に大きくなることは好ましくない。接続部１４ｂの長さは、例えば、ホース１１との接続箇所からハトメ１３ｂが設けられた位置までの長さと同程度とされている。
【００３５】
各接続部１４ｂは、ホース１１の、幅方向（延伸方向に交差する方向）における同じ側の端部であって、ハトメ１３ｂが設けられた側の端部１１ｃと反対側の端部１１ｄに接続されている。輪状部１４ｃにより領域１４ｄが区画され得る領域としては、対応する折り目箇所１１ｘに対向する領域（内側の領域）と、対応する折り目箇所１１ｘが隣接する折り目箇所１１ｘに対向する領域（外側の領域）とがある。本実施形態では、輪状部１４ｃは、上記外側の領域において、線状部１２が通過する領域１４ｄを区画している。
【００３６】
線状部１２は、隣り合う第１領域区画部１３間において、輪状部１４ｃによって区画された領域１４ｄを通過する。図４に示されるように、第２領域区画部１４は隣り合う第１領域区画部１３間に２つ設けられているので、線状部１２は、隣り合う第１領域区画部１３間において２つの領域１４ｄを通過する。
【００３７】
上述した第２領域区画部１４の材質としては、例えば綿、ナイロン、フロロカーボン（ポリフッ化ビニリデン）、又はワイヤー（金属）等を用いることができる。第２領域区画部１４の材質は、コストの観点から、綿、ナイロン、又はフロロカーボンが好ましく、更に、耐摩耗性の観点からナイロン又はフロロカーボンが好ましい。
【００３８】
［収納装置］
図５及び図６に示されるように、収納装置５０は、ベース５１と、把持部５２と、コネクタ５３と、スプール５４と、モータ５５と、スイッチ５６と、バッテリー５７と、配線５８と、を備えている。収納装置５０は、電動のリール部材により線状部１２を巻き取ることにより、ホース構造体１０を収納する。
【００３９】
ベース５１は、スプール５４及びモータ５５等のリール部材を載置する、板状の台座である。把持部５２は、収納装置５０の持ち手として機能すると共に、バッテリー５７を内蔵するバッテリーボックスである。把持部５２は、ベース５１に対向する位置に配置されており、ベース５１から上方に延びる支持部材６１を介して、ベース５１に接続されている。
【００４０】
コネクタ５３は、ベース５１の下端に設けられ、ホース１１の基端部１１ａと、給水設備（例えば水道の蛇口）とを接続する部材である。コネクタ５３は、中空円筒状であり、一端がホース１１の基端部１１ａに接続され、他端が給水設備に接続される。
【００４１】
スプール５４は、線状部１２を巻き取る巻き取り部であり、巻き取った線状部１２を巻きつける円筒状の巻き枠である。スプール５４は、スプール軸５４ａ（図６（ｂ）（ｃ）参照）を中心に回転可能に支持されており、モータ５５からの回転駆動に応じて回転することによって、線状部１２を巻き取る。
【００４２】
モータ５５は、スプール５４に対して回転駆動を伝え、スプール５４を回転させる。モータ５５は、モータギア５５ａがスプール５４のスプールギア５４ｂとかみ合うことにより（図６（ｃ）参照）、スプール５４に回転駆動を伝える。
【００４３】
スイッチ５６は、モータ５５の電源ＯＮ／ＯＦＦ（モータ５５への電流有無）を切り替える。スイッチ５６は、例えば人が押下することにより、モータ５５の電源ＯＮ／ＯＦＦを切り替える。
【００４４】
バッテリー５７は、モータ５５を駆動させる電力を生み出す電池である。バッテリー５７は、把持部５２内に格納されている。配線５８は、バッテリー５７・モータ５５間、バッテリー５７・スイッチ５６間、及びスイッチ５６・モータ５５間を電気的に接続する導線である。
【００４５】
収納装置５０は、上記構成によって、ホース構造体１０を収納する。すなわち、スイッチ５６がＯＮとされることにより、モータ５５が回転駆動し、スプール５４が回転する。これにより、線状部１２がスプール５４に巻き取られる。ホース１１は、ハトメ１３ｂの中間地点を折り目箇所１１ｘとして折り畳まれ、コネクタ５３の近傍すなわちベース５１の下端側に収納される。第１領域区画部１３がホース１１の延伸方向に沿って設けられた所定の間隔は、ベース５１の長手方向の長さ以下であり、例えばベース５１の長手方向の長さと同程度とされている。
【００４６】
収納装置５０は、図１に示されるように、線状部１２が巻き取られることにより折り畳まれたホース１１を固定する（まとめる）固定部６５を更に備えていてもよい。固定部６５は、例えばベース５１に設けられたバンドであり、収納されたホース１１を束ねて締めることができる。
【００４７】
［作用効果］
【００４８】
上述したように、ホース構造体１０は、長尺状のホース１１と、ホース１１の基端部１１ａ側から先端部１１ｂ側に向かって延び、先端部１１ｂにおいてホース１１に接続された線状部１２と、ホース１１の延伸方向に沿って所定間隔で設けられ、線状部１２が通過する貫通孔１３ｃを区画するハトメ１３ｂと、を備えている。
【００４９】
当該ホース構造体１０では、線状部１２がホース１１の先端部１１ｂに接続されている。このため、線状部１２が基端部１１ａ側から巻き取られることにより、ホース１１が、先端部１１ｂ側から基端部１１ａ側に向かって引き寄せられる。当該ホース構造体１０では、線状部１２が、ホース１１の延伸方向に沿って所定間隔で設けられた貫通孔１３ｃを通過するように、基端部１１ａ側から先端部１１ｂ側に延びている。このため、線状部１２が基端部１１ａ側から巻き取られると、ホース１１は隣り合うハトメ１３ｂの中間地点を折り目箇所１１ｘとして折り畳まれながら基端部１１ａ側に引き寄せられることとなる。ホース１１が折り畳まれるため、当該ホース１１を収納する収納装置５０では、ホースリールのドラム等の構成が不要となる。このことで、収納装置５０の小型化を実現することができる。また、線状部１２を巻き取るという簡易な処理によってホース１１が折り畳まれ、ホース１１が収納可能となるので、ホース１１の収納容易性を向上させることができる。
【００５０】
ホース構造体１０では、ハトメ１３ｂが、ホース１１の延伸方向に沿って一定間隔で設けられている。これにより、ホース１１の折り目箇所１１ｘ間の長さが一定となる。このことで、ホース１１の収納容易性をより向上させることができると共に、収納されたホース構造体１０の美観を向上させることができる。
【００５１】
ホース構造体１０は、ホース１１に接続されると共に、隣り合うハトメ１３ｂ間において、線状部１２が通過する領域１４ｄを区画する第２領域区画部１４を更に備えている。線状部１２がたわんだ状態において、線状部１２の巻き取りが開始されホース１１が折り畳まれると、線状部１２とホース１１とが絡まり、ホース１１のねじれが生じるおそれがある。この点、ハトメ１３ｂ間において、ホース１１に接続された第２領域区画部１４により、線状部１２が通過する領域１４ｄが区画されることにより、線状部１２の可動域が限定され、線状部１２のたわみが生じにくくなる。このことで、線状部１２とホース１１とが絡まることが抑制され、線状部１２巻き取り時におけるホース１１のねじれを抑制することができる。
【００５２】
上述したように、ホース収納ユニット１は、上記ホース構造体１０と、ホース構造体１０を収納する収納装置５０と、を備え、収納装置５０は、線状部１２を巻き取るスプール５４を有している。当該ホース収納ユニット１では、スプール５４により上述した線状部１２を巻き取ることによって、ホース１１を折り畳んでいる。これにより、ホースリールのドラム等の構成を用いることなく、小型な構成によって、ホース１１を収納することができる。また、スプール５４によって線状部１２を容易に巻き取ることができるので、ホース１１の収納容易性を向上させることができる。更に、スプール５４が線状部１２を巻き取るので、線状部１２が絡まることを抑制することができる。
【００５３】
収納装置５０は、線状部１２が巻き取られることにより折り畳まれたホース１１を固定する固定部６５を有している。これにより、折り畳んだホース１１を適切に束ねることができ、収納容易性をより向上させることができる。
【００５４】
スプール５４は、モータ５５と共に、ベース５１上に設けられたリール部材を構成し、ハトメ１３ｂ（第１領域区画部１３）がホース１１の延伸方向に沿って設けられた所定の間隔は、ベース５１の長手方向の長さ以下である。ベース５１上のリール部材により線状部１２が巻き取られるため、折り畳まれたホース１１はベース５１に隣接した位置に配置される。所定間隔がベース５１の長手方向の長さ以下とされるので、ホース１１の折り目箇所１１ｘ間の長さは、ベース５１の長手方向の長さ以下となる。これにより、ホース１１が折り畳まれた状態において、リール部材周りに、ホース１１をコンパクトに収納することができる。本実施形態では、上記所定の間隔が、ベース５１の長手方向の長さと同程度とされている。これにより、上記作用効果を奏しながら、折り目箇所１１ｘ間の長さを極力長くし、折り畳んだ状態におけるホース１１の重なり方向の長さを短くしている。
【００５５】
［第２実施形態］
次に、図７及び図８を参照して、第２実施形態に係るホース収納ユニット７０について説明する。本実施形態の説明では、上記第１実施形態と異なる点について主に説明する。
【００５６】
本実施形態では、ホース収納ユニット７０に含まれる収納装置として、第１実施形態で説明した収納装置５０に替えて、収納装置８０を用いている。収納装置８０は、手動のリール部材により線状部１２を巻き取ることにより、ホース構造体１０を収納する。
【００５７】
収納装置８０は、ベース８１と、把持部８２と、スプール８４と、ハンドル８９と、を備えている。ベース８１の下端にはコネクタ５３が接続されており、該コネクタ５３にホース構造体１０が接続されている。
【００５８】
ベース８１は、スプール８４及びハンドル８９等のリール部材を載置する、板状の台座である。把持部８２は、収納装置８０の持ち手として機能し、両端がベース８１の長手方向両端に接続される共に、アーチ状に形成されている。
【００５９】
スプール８４は、線状部１２を巻き取る巻き取り部であり、巻き取った線状部１２を巻きつける円筒状の巻き枠である。ハンドル８９は、人手により回転させることにより、スプール８４に回転駆動を伝え、スプール８４を回転させる。
【００６０】
スプール８４とハンドル８９の詳細について、図８を参照して説明する。図８（ａ）は、線状部１２を巻き取る際のスプール８４及びハンドル８９を示す断面図である。図８（ｂ）は、線状部１２を引き出す際のスプール８４及びハンドル８９を示す断面図である。図８（ｃ）は、線状部１２の巻き取り及び引き出しを行わない（ロックする）際のスプール８４及びハンドル８９を示す断面図である。
【００６１】
図８（ａ）〜（ｃ）に示されるように、スプール８４の回転軸方向の一端には、ハンドルシャフト９１がスプール８４に嵌合可能に設けられている。該ハンドルシャフト９１は、スプール８４と嵌合する側と反対側において、ハンドル８９に連結されている。ハンドルシャフト９１がスプール８４に嵌合した状態においてハンドル８９を回転させると、ハンドル８９の回転駆動をスプール８４に伝達することができる。スプール８４の回転軸方向の他端には、ロックピン９２がスプール８４に嵌合可能に設けられている。ロックピン９２がスプール８４に嵌合した状態においては、スプール８４が回転することを防止することができる。スプール８４に対しては、ハンドルシャフト９１及びロックピン９２の双方が同時に嵌合することはできず、いずれか一方が嵌合されている場合には他方が非嵌合状態とされる。
【００６２】
図８（ａ）に示されるように、線状部１２を巻き取る際には、ハンドル８９をスプール８４方向に押し込むことにより、ハンドルシャフト９１がスプール８４に嵌合される。この際、スプール８４内においては、ハンドルシャフト９１がロックピン９２をスプール８４から離れる方向に押出し、ロックピン９２が非嵌合状態となる。ロックピン９２が非嵌合状態となるため、スプール８４は自由に回転可能となる。スプール８４にはハンドルシャフト９１が嵌合されているので、ハンドル８９の回転駆動をスプール８４に伝達することができる。この状態においては、ハンドル８９を回転させることにより、スプール８４に回転駆動が伝わり、スプール８４を回転させることができる。これにより、スプール８４による線状部１２の巻き取りが行われ、ホース１１が折り畳まれる。
【００６３】
ハンドルシャフト９１がスプール８４に嵌合された状態（図８（ａ）参照）から、図８（ｂ）に示されるように、ハンドル８９をスプール８４から離れる方向に引き出すと、ハンドルシャフト９１及びロックピン９２の双方がスプール８４に嵌合していないスプールフリー状態となる。この状態においては、ロックピン９２が非嵌合状態であるためスプール８４が自由に回転可能であり、また、ハンドルシャフト９１が非嵌合状態であるためハンドル８９の回転駆動がスプール８４に伝達されず、ハンドル８９の操作と無関係にスプール８４を回転させることができる。これにより、ハンドル８９を操作することなく、迅速にホース１１を引き出すことが可能となる。
【００６４】
図８（ｃ）に示されるように、ロックピン９２をスプール８４方向に押し込むと、ロックピン９２がスプール８４に嵌合しているスプールロック状態となる。この際、スプール８４内においては、ロックピン９２がハンドルシャフト９１をスプール８４から離れる方向に押出し、ハンドルシャフト９１が非嵌合状態となる。この状態においては、ロックピン９２がスプール８４に嵌合しているので、スプール８４が回転しない。これにより、線状部１２の巻き取り及びホース１１の折り畳み、並びに、ホース１１の引き出しが行われることを防止することができる。
【００６５】
上述した収納装置８０では、手動のリール部材により線状部１２を巻き取ることができ、モータ等の構成が不要となるので、より小型化した構成で、ホース１１の収納を実現することができる。
【００６６】
［第３実施形態］
次に、図９を参照して、第３実施形態に係るホース収納ユニット１００について説明する。本実施形態の説明では、上記第１及び第２実施形態と異なる点について主に説明する。
【００６７】
本実施形態では、ホース収納ユニット１００に含まれる収納装置として、第１実施形態で説明した収納装置５０及び第２実施形態で説明した収納装置８０に替えて、収納袋１５０を用いている。ホース収納ユニット１００に含まれるホース構造体として、第１実施形態及び第２実施形態で説明したホース構造体１０に替えて、ホース構造体１１０を用いている。
【００６８】
ホース構造体１１０は、ホース１１と、線状部１１２と、第１領域区画部１３とを備えている。ホース１１及び第１領域区画部１３については、上述した第１実施形態と同様である。ホース１１は、収納袋１５０と接合されている（詳細は後述）。線状部１１２は、上述した線状部１２と基本構成が同様であるが、ホース１１の基端部１１ａ側においてホース１１と接続されている点において、線状部１２と異なっている。すなわち、線状部１１２は、基端部１１ａ側及び先端部１１ｂ側の双方においてホース１１と接続されている。線状部１１２は、収納袋１５０と接合されたホース１１の部位を貫通するように設けられている。
【００６９】
収納袋１５０は、ホース構造体１１０を収納する袋である。収納袋１５０は、リバーシブル構造とされており、ホース構造体１１０を収納している状態と、ホース構造体１１０を放出している状態とで、袋の表裏が変わる。図９に示されるように、収納袋１５０は、ホース構造体１１０を放出している状態における下端部１５０ａにおいて、ホース１１と接合されている。そして、ホース１１における収納袋１５０との接合部位を貫通するように線状部１１２が設けられているので、当該線状部１１２を引っ張ることにより、ホース１１が、上記接合部位を境に波上に縮小して折り畳まれ、収納袋１５０に格納される。この状態で、リバーシブル構造の収納袋１５０を裏返すことにより、折り畳まれたホース１１を収納袋１５０内に収納することができる。
【００７０】
収納袋１５０に収納したホース構造体１１０を放出する場合には、収納袋１５０を裏返すことにより、収納されたホース構造体１１０を放出することができる。そして、ホース１１を引き延ばすことにより、ホース１１は波形形状から通常のストレート形状になり、通水可能となる。
【００７１】
上述した収納袋１５０では、より小型化した構成でホース１１の収納を実現することができる。また、ホース１１を袋の中に完全に収納することができるため、太陽光が直接ホース１１に照射されることを防止し、ホース１１の紫外線劣化を抑制することができる。また、ホース１１を袋の中に収納することができるため、収納後は、ホース１１内の残留水が流出することがなく、屋外及び屋内の双方において携帯性に優れている。
【００７２】
［変形例］
以上、本開示に係る実施形態について説明したが、本発明の要旨の範囲内において、種々の変形を上記の実施形態に加えてもよい。例えば、第１領域区画部はホース１１自体に設けられたハトメ１３ｂであるとして説明したがこれに限定されず、第１領域区画部は、ホース１１の延伸方向に沿って所定間隔で設けられて、線状部１２が通過する領域を区画するものであればよい。例えば図１０に示されるように、第１領域区画部は、アタッチメント１８３であってもよい。アタッチメント１８３は、八の字形状であり、一方の環状部１８３ｂがホース１１を囲い、他方の環状部１８３ｃが線状部１２を囲っている。環状部１８３ｂの内径は、ホース１１の径と略一致している。このため、アタッチメント１８３は、ホース１１に対して位置決めされている。環状部１８３ｃの内径は、環状部１８３ｂよりも大きくされている。環状部１８３ｃの内側領域は、線状部１２が通過する第１通過領域である。このようなアタッチメント１８３によっても、ホース１１の延伸方向に沿って、線状部１２が通過する第１通過領域を区画することができる。
【００７３】
第１通過領域は、実施形態に記載したハトメ１３ｂにより区画された貫通孔１３ｃ、及び、上述したアタッチメント１８３の環状部１８３ｃの内側領域に限定されず、ホース１１に形成された貫通孔にハトメを用いずに線状部１２を通過させる態様（ホース直付け）における該貫通孔であってもよい。第１通過領域は、線状部１２に作用する摩擦力を軽減する観点、及び、生産効率の観点から、ハトメ１３ｂ又はアタッチメント１８３を用いる態様が好ましく、更に、ホース１１を収納した際の束厚をコンパクトにする観点からハトメ１３ｂを用いる態様が好ましい。
【００７４】
ハトメ１３ｂはホース１１の幅方向における同じ側の端部１１ｃに設けられているとして説明したが、例えば、ハトメ１３ｂは、端部１１ｃと該端部１１ｃの反対側の端部１１ｄとに交互に設けられていてもよい。この場合、線状部１２を巻き取った際に、ホース１１間において乗り上げが発生し易くなり、ホース１１をよりコンパクトに収納装置５０に収納することができる。
【００７５】
収納装置５０，８０には、収納したホース１１を覆うカバー部材が設けられていてもよい。これにより、太陽光が直接ホース１１に照射されることを防止し、ホース１１の紫外線劣化を抑制することができる。
【００７６】
収納装置５０において、モータ５５のトルク検知を行う構成を更に備え、巻き取り時のトルクリミット制御を行ってもよい。これによって、収納装置５０によって、より容易に線状部１２の巻き取り及びホース１１の折り畳みを行うことができる。
【００７７】
線状部１２を巻き取る巻き取り部としてリール部材を用いる例を説明したが、線状部１２が絡まないように巻きつけ、束ねることができるものであればこれに限定されず、巻き取り部は、例えば、単なるボビン、又は、線状部１２を巻きつける板部材であってもよい。
【００７８】
ホース１１として、横断面形状が扁平なフラットホースを用いるとして説明したがこれに限定されず、例えば中空円筒状の、より一般的なホースを用いてもよい。中空円筒状のホースを用いる場合には、線状部１２を巻き取った際にホース１１が適切に折り畳まれるよう、第１領域区画部間に事前に折り目を形成しておいてもよい。また、線状部１２はホース１１の延伸方向に沿って一定間隔で設けられているとして説明したがこれに限定されず、例えば収納し易さを考慮して、一定間隔でない所定の間隔で設けられていてもよい。更に、線状部１２は、１本ではなく、２本等の複数本であってもよい。線状部１２を２本とする場合には、例えば、上下方向において互いに対向する線状部を、ホース１１に沿って配置してもよい。この場合、第２領域区画部は、上下方向で対向する２本の線状部を架け渡すように、梯子状に設けられていてもよい。
【符号の説明】
【００７９】
１，７０，１００…ホース収納ユニット、１０，１１０…ホース構造体、１１…ホース、１１ａ…基端部、１１ｂ…先端部、１２，１１２…線状部、１３…第１領域区画部、１３ｂ…ハトメ、１３ｃ…貫通孔、１４…第２領域区画部、５１，８１…ベース、５０，８０…収納装置、５４，８４…スプール、６５…固定部、１５０…収納袋。
【図１】
2017114590.tif 000003
【図２】
2017114590.tif 000004
【図３】
2017114590.tif 000005
【図４】
2017114590.tif 000006
【図５】
2017114590.tif 000007
【図６】
2017114590.tif 000008
【図７】
2017114590.tif 000009
【図８】
2017114590.tif 000010
【図９】
2017114590.tif 000011
【図１０】
2017114590.tif 000012